(57)【要約】      （修正有）【課題】ＴＶなどの再生装置と独立的に動作するように具現されて、ＴＶが消えている場合にもオーディオ放送や広告放送が可能なマルチメディアモジュールを提供する。【解決手段】マルチメディアモジュールにおいて、放送局から受信された放送信号の中から特定チャンネルの放送信号を選択するチューナ部と、前記チューナ部から選択されたチャンネルの放送信号を再生装置に出力し、前記放送信号中、ビデオ信号を分離して出力するスイッチ部と、前記ビデオ信号中からＶＢＩ領域に含まれたオーディオコンテンツを抽出及び再生するオーディオコンテンツ抽出復元部と、前記オーディオコンテンツ抽出復元部で再生されたオーディオコンテンツをラジオ信号に変換して送出するオーディオコンテンツ送出部とを含む。【選択図】図３
2006217397.tif 000002
【特許請求の範囲】
【請求項１】
放送局から受信された放送信号の中から特定チャンネルの放送信号を選択するチューナ部と、
前記チューナ部から選択されたチャンネルの放送信号を再生装置に出力し、前記放送信号中からビデオ信号を分離して出力するスイッチ部と、
前記ビデオ信号中からＶＢＩ領域に含まれたオーディオコンテンツを抽出及び再生するオーディオコンテンツ抽出復元部と、
前記オーディオコンテンツ抽出復元部で再生されたオーディオコンテンツをラジオ信号に変換して送出するオーディオコンテンツ送出部とを含むことを特徴とするマルチメディアモジュール。
【請求項２】
前記オーディオコンテンツは、４−４８ｋｂｐｓで圧縮されたことを特徴とする請求項１記載のマルチメディアモジュール。
【請求項３】
前記オーディオコンテンツ抽出復元部は、
前記ビデオ信号中から前記ＶＢＩ領域の特定ラインを検出するライン検出部と、
前記検出された特定ラインをスライシング及び周波数検出を通じて前記特定ラインに含まれたオーディオコンテンツを抽出するデータ抽出部と、
前記オーディオコンテンツをデコーディングするデコーダと、
前記デコーディングされたオーディオコンテンツをオーディオ信号に変換するＤ／Ａ変換部とを含むことを特徴とする請求項１記載のマルチメディアモジュール。
【請求項４】
外部機器のＡ／Ｖ出力信号が入力されるＡ／Ｖ信号入力部が更に含まれ、
前記スイッチ部は、前記Ａ／Ｖ信号入力部からＡ／Ｖ信号が入力される場合、前記Ａ／Ｖ信号を再生装置に出力し、前記Ａ／Ｖ信号中、ビデオ信号を分離して前記オーディオコンテンツ抽出復元部に伝送することを特徴とする請求項１記載のマルチメディアモジュール。
【請求項５】
前記外部機器は、ＶＴＲ、ＤＶＤプレーヤ、ＣＤプレーヤ、ＶＣＤプレーヤ、パーソナルコンピュータ、ＧＡＭＥ機器中、少なくともいずれか一つを含むことを特徴とする請求項４記載のマルチメディアモジュール。
【請求項６】
前記ラジオ信号はＦＭ信号であることを特徴とする請求項１記載のマルチメディアモジュール。
【請求項７】
放送局から送出される放送信号を受信するチューナ部と、
前記チューナ部から受信される放送信号を再生装置に出力し、前記放送信号中からビデオ信号を分離して出力するスイッチ部と、
前記ビデオ信号中から前記ＶＢＩ領域に含まれたオーディオコンテンツを抽出及び再生するオーディオコンテンツ抽出復元部と、
前記オーディオコンテンツ抽出復元部で再生されたオーディオコンテンツをラジオ信号に変換して送出するオーディオコンテンツ送出部と、
前記オーディオコンテンツ送出部から送出されたオーディオコンテンツを受信してこれを再生するオーディオコンテンツ再生機器とを含むことを特徴とするマルチメディアシステム。
【請求項８】
外部機器からオーディオ信号が付加された音声信号を含むＡ／Ｖ信号が入力されるＡ／Ｖ信号入力部と、
上記Ａ／Ｖ信号入力部のＡ／Ｖ信号を出力し、前記音声信号に付加されたオーディオコンテンツを分離して別途に伝送するオーディオコンテンツ分離部と、
前記オーディオコンテンツ分離部から伝送されるＡ／Ｖ信号を再生装置に出力するＡＶ出力部と、
前記オーディオコンテンツ分離部から伝送されるオーディオ信号を外部のオーディオコンテンツ再生機器に出力するオーディオコンテンツ送出部とを含んでなることを特徴とするマルチメディアモジュール。
【請求項９】
放送局から受信された放送信号の中から特定チャンネルの放送信号を選択して、オーディオコンテンツ分離部に伝送するチューナ部を更に含むことを特徴とする請求項８記載のマルチメディアモジュール。
【請求項１０】
前記オーディオコンテンツ分離部は、前記音声信号の前記特定チャンネルに分離されたオーディオコンテンツを前記オーディオコンテンツ送出部に伝送する際、前記特定チャンネルの音声信号を再生装置に伝送されないように制御することを特徴とする請求項８記載のマルチメディアモジュール。
【請求項１１】
前記オーディオコンテンツ分離部は、前記オーディオコンテンツが圧縮されて伝送された場合には、これを復元して伝送することを特徴とする請求項８記載のマルチメディアモジュール。
【請求項１２】
前記外部機器は、ＶＴＲ、ＤＶＤプレーヤ、ＣＤプレーヤ、ＶＣＤプレーヤ、  パーソナルコンピュータ、ＧＡＭＥ機器中、少なくともいずれか一つを含むことを特徴とする請求項８記載のマルチメディアモジュール。
【発明の詳細な説明】
【技術分野】
【０００１】
本発明は、ＴＶなどの再生装置と独立的に動作するように具現されて、ＴＶが消えている場合にもオーディオ放送や広告放送が可能なマルチメディアモジュール及びシステムに関連する。
【背景技術】
【０００２】
ＴＶから放送されるビデオ信号は、１秒当たり３０フレームからなり、１フレームは５１２本のラインからなる。この５１２本のライン中、約２０本のラインは実際ビデオデータが載せられないブランク領域であり、これをＶＢＩ（Ｖｅｒｔｉｃａｌ  Ｂｌａｎｋｉｎｇ  Ｉｎｔｅｒｖａｌ）という。
【０００３】
このようなＶＢＩ領域は、主に、聴覚障害者のための字幕放送等に使われ、近来、ＶＢＩ領域を他のいろいろな用途で活用するアプリケーションがたくさん開発されている趨勢である。
【０００４】
このようなアプリケーションの中から、ＶＢＩ領域に制御信号及びオーディオ信号を載せて対話形人形を動作させる技術が特許文献１（大韓民国特許登録第１０−３２０９０３号）及び特許文献２（大韓民国特許登録第１０−３４２６５４号）に開示されている。
【０００５】
図１は、このような従来の対話形人形システムの構成を示すブロック図である。図１では再生装置としてＴＶを例示して説明する。
【０００６】
図１に示すように、従来の対話形人形システムは、再生装置であるＴＶ１００、ゲートウェイ２００、及び対話形人形３００からなる。
【０００７】
ＴＶ１００は放送局から送出された信号中の、ＶＢＩ領域に挿入された制御信号及びオーディオ信号を受信してこれをゲートウェイ２００に伝送する。
【０００８】
ゲートウェイ２００は、ＴＶ１００から伝送される制御信号及びオーディオ信号から所定の命令パケット及びオーディオ信号を生成するためのものであって、図１に示すような細部構成を有する。ＶＢＩデコーダ２１０は、ＴＶ１００から伝送される制御信号及びオーディオ信号をデコーディングし、マイコン２２０がデコーディングされた制御信号を分析して予め設定された命令パケットを生成すれば、生成された命令パケット及びオーディオ信号は、周波数変換部２４０及び増幅部２５０を経てＲＦ帯域の信号に変換され、アンテナを介して対話形人形３００に送出される。
【０００９】
対話形人形３００は、ゲートウェイ２００から受信された命令パケットのプロトコルを分析して、その類型によって動作をしたりオーディオ信号により話したりすることになる。
【００１０】
しかし、このような従来の対話形人形システムは、ＴＶやＶＴＲなどの再生装置において放送局から受信されたＡ／Ｖ信号を再生して、受信されたビデオ信号中からＶＢＩ領域のデータを検出しなければならないので、従来のＴＶやＶＴＲではこのような機能を遂行することができない。従って、ＴＶなどの再生装置が、ＶＢＩ領域を抽出するためのＶＢＩ抽出部を備えていなければならないなど、別途の構成が要求されるという問題点が発生する。
【００１１】
また、従来の対話形人形システムは、ゲートウェイ２００が再生装置から受信及び抽出されたＶＢＩ領域のデータを受信して動作するため、このデータから命令パケット生成の後段に位置しなければならないという制約がある。
【００１２】
従って、従来の対話形人形システムは、ＴＶなどの再生装置に従属するので、ＴＶが消えている場合には動作することができないし、視聴者が対話形人形システム事業の未契約放送局のチャンネルを視聴する場合には動作しなくなるので、その活用が制限的であるという問題がある。
【００１３】
また、従来のＤＶＤタイトル、ＣＤタイトル、またはＶＴＲ映像は、オーディオ信号が付加されていなかったり、付加されていてもこれを活用できないという問題がある。
【特許文献１】大韓民国特許登録第１０−３２０９０３号公報
【特許文献２】大韓民国特許登録第１０−３４２６５４号公報
【発明の開示】
【発明が解決しようとする課題】
【００１４】
本発明の目的は、このような問題の解決のためのものであって、ＴＶなどの再生装置と独立的に動作するように具現されて、ＴＶが消えている場合にもオーディオ放送や広告放送が可能な、マルチメディアモジュール及びシステムを提供することである。
【００１５】
本発明の別の目的は、独立的具現を通じて未契約チャンネルを視聴している間にも視聴者の選択によって他の契約チャンネルから提供されているオーディオ放送や広告放送を聴取できるようにするマルチメディアモジュール及びシステムを提供することである。
【００１６】
本発明のまた別の目的は、ＴＶなどの再生装置がＶＢＩ領域に含まれたデータを分離するための別途の構成を要求しないことにより、従来の再生装置と互換可能なマルチメディアモジュール及びシステムを提供することである。
【００１７】
本発明のまた別の目的は、ＤＶＤタイトル、ＣＤタイトル、またはＶＴＲ映像に付加されたオーディオ信号を、外部のオーディオコンテンツ再生機器で再生できるようにするマルチメディアモジュール及びシステムを提供することである。
【課題を解決するための手段】
【００１８】
前記の目的を達成するための本発明のマルチメディアモジュールは、放送局から受信された放送信号の中から特定チャンネルの放送信号を選択するチューナ部と、前記チューナ部から選択されたチャンネルの放送信号を再生装置に出力し、前記放送信号中からビデオ信号を分離して出力するスイッチ部と、前記ビデオ信号中から前記ＶＢＩ領域に含まれたオーディオコンテンツを抽出及び再生するオーディオコンテンツ抽出復元部と、前記オーディオコンテンツ抽出復元部で再生されたオーディオコンテンツをラジオ信号に変換して送出するオーディオコンテンツ送出部とを含むことを特徴とする。
【００１９】
また、本発明のマルチメディアシステムは、放送局から送出される放送信号を受信するチューナ部と、前記チューナ部から受信される放送信号を再生装置に出力し、前記放送信号中からビデオ信号を分離して出力するスイッチ部と、前記ビデオ信号中から前記ＶＢＩ領域に含まれたオーディオコンテンツを抽出及び再生するオーディオコンテンツ抽出復元部と、前記オーディオコンテンツ抽出復元部で再生されたオーディオコンテンツをラジオ信号に変換して送出するオーディオコンテンツ送出部と、前記オーディオコンテンツ送出部から送出されたオーディオコンテンツを受信して、これを再生するオーディオコンテンツ再生機器とを含むことを特徴とする。
【００２０】
また、本発明のマルチメディアモジュールは、外部機器からオーディオ信号が付加された音声信号を含むＡ／Ｖ信号が入力されるＡ／Ｖ信号入力部と、上記Ａ／Ｖ信号入力部のＡ／Ｖ信号を出力し、前記音声信号に付加されたオーディオコンテンツを分離して別途に伝送するオーディオコンテンツ分離部と、前記オーディオコンテンツ分離部から伝送されるＡ／Ｖ信号を再生装置に出力するＡＶ出力部と、前記オーディオコンテンツ分離部から伝送されるオーディオ信号を外部のオーディオコンテンツ再生機器に出力するオーディオコンテンツ送出部とを含んでなることを特徴とする。
【００２１】
また、前記マルチメディアモジュールは、放送局から受信された放送信号の中から特定チャンネルの放送信号を選択してオーディオコンテンツ分離部に伝送するチューナ部を更に含んで形成されることができる。
【発明の効果】
【００２２】
前記のような本発明によれば、ＴＶなどの再生装置と独立的に動作するように具現されて、ＴＶが消えている場合にもオーディオ放送や広告放送が可能な、マルチメディアモジュールを提供することができる。
【００２３】
また、独立的具現を通じて未契約チャンネルを視聴している間にも視聴者の選択によって他の契約チャンネルから提供されているオーディオ放送や広告放送を聴取できるようにするマルチメディアモジュールを提供できる。
【００２４】
また、ＴＶなどの再生装置がＶＢＩ領域に含まれたデータを分離するための別途の構成を要求しないことにより、従来の再生装置と互換可能なマルチメディアモジュールを提供することができる。
【００２５】
また、放送内容が学習プログラムの場合、学習者が講義内容と関連するコメントを聞くことにより、講義の理解を助けたり他の学生の声を聞くことにより多くの人が共に授業を聞くことのような効果を与えて、より講義に集中できるようにする効果がある。
【００２６】
また、ＤＶＤタイトル、ＣＤタイトル、ＶＴＲ映像、またはパーソナルコンピュータから伝送される映像情報に付加されたオーディオ信号を外部のオーディオコンテンツ再生機器で再生できる効果がある。
【発明を実施するための最良の形態】
【００２７】
以下、添付の図面を参照しながら実施の形態を通じて本発明を詳細に説明する。
【００２８】
図２は、本発明に係るＶＢＩ領域を用いたマルチメディアシステムの構成を示すブロック図である。
【００２９】
図２に示すように、本発明に係るＶＢＩ領域を用いたマルチメディアシステムは、マルチメディアモジュール１０、外部機器４０−１、４０−２、再生装置５０及びオーディオコンテンツ再生機器６０を含んで構成される。
【００３０】
マルチメディアモジュール１０は、Ａ／Ｖ信号入力部１３を介してＶＴＲ４０−１、ＤＶＤ４０−２などの外部機器と連結され、ＡＶ出力部１６を介してＴＶ５０などの再生装置に連結される。また、マルチメディアモジュール１０は、ＴＶ信号を受信するためのアンテナ２０及びオーディオコンテンツ再生機器６０にＦＭ信号を伝送するための送信部３０を備えている。マルチメディアモジュール１０は、放送局から送出された放送信号及び外部機器４０−１、４０−２から出力されるＡ／Ｖ信号を受信して受信した信号をＴＶなどの再生装置に伝送し、ビデオ信号中からＶＢＩ領域に含まれたオーディオコンテンツを抽出及び再生した後、ＦＭラジオ信号に変換してオーディオコンテンツ再生機器６０に伝送するためのものである。マルチメディアモジュール１０の内部構成は図３に詳細に説明する。
【００３１】
オーディオコンテンツ再生機器６０は、マルチメディアモジュール１０から送出されたオーディオコンテンツを受信して、これを再生するものである。
【００３２】
本実施の形態において、オーディオコンテンツは、ＴＶで放送中のプログラムまたは外部機器を通じて再生中の内容と関連する内容であることができる。例えば、プログラムが講義授業の場合、オーディオコンテンツは、講義内容と関連する内容やコメントまたは他の学生の声であっても良い。または、オーディオコンテンツは広告であっても良く、このような場合、使用者がＡチャンネルのＴＶを視聴している間にもＢチャンネルから提供するオーディオコンテンツ広告を聞くことができる。
【００３３】
図２に示すように、本発明のマルチメディアモジュール１０は、ＴＶ５０などの再生装置と独立的に存在し、信号処理の観点においてＴＶ５０の前段階に位置するので、ＴＶ５０などの再生装置の電源が消えている場合にも動作して、オーディオコンテンツを再生できる。
【００３４】
図２には外部機器としてＶＴＲ４０−１とＤＶＤプレーヤ４０−２を例示したが、その他、ＣＤプレーヤ、ＶＣＤプレーヤ、パーソナルコンピュータ、ＧＡＭＥ機器等も可能であることは当然である。
【００３５】
図３は、図２のマルチメディアモジュール１０の内部構成を示すブロック図である。図３に示すように、マルチメディアモジュール１０は、チューナ部１１、Ａ／Ｖ信号入力部１３、スイッチ部１５、ＡＶ出力部１６、オーディオコンテンツ抽出復元部１７及びオーディオコンテンツ送出部１９を含む。
【００３６】
チューナ部１１は、アンテナ２０を介して受信された複数個の放送信号の中から特定チャンネルを選択するためのものである。チューナ部１１は、一般的なＴＶ等で使われるＬＣ回路を用いることができ、使用者はリモコンなどの制御装置を用いてリアクタンス、またはキャパシタンスを変化させて希望するチャンネルを選択する。
【００３７】
Ａ／Ｖ信号入力部１３は、ＶＴＲ４０−１、ＤＶＤ４０−２などの外部機器の出力Ａ／Ｖ信号が入力される部分である。
【００３８】
スイッチ部１５は、チューナ部１１から選択されたチャンネルの放送信号、または外部機器から入力されるＡ／Ｖ信号をＴＶ５０などの再生装置に出力し、放送信号、またはＡ／Ｖ信号中からビデオ信号を分離してオーディオコンテンツ抽出復元部１７に伝送する。
【００３９】
ＡＶ出力部１６は、スイッチ部１５から受信されたＡ／Ｖ信号をＴＶ５０などの再生装置に出力するための出力端子である。
【００４０】
オーディオコンテンツ抽出復元部１７は、スイッチ部１５から受信されたビデオ信号の中からＶＢＩ領域に含まれたオーディオコンテンツを抽出、及び再生するものであって、これについては図４で詳細に説明する。
【００４１】
オーディオコンテンツ送出部１９は、オーディオコンテンツ抽出復元部１７で復元されてアナログ信号に変換されたオーディオコンテンツをＦＭ信号に変換して送信部３０を通じてオーディオコンテンツ再生機器６０に伝送する。
【００４２】
図４は、図３のオーディオコンテンツ抽出復元部１７の内部構成を示すブロック図である。図４に示すように、オーディオコンテンツ抽出復元部１７はライン検出部１７−１、データ抽出部１７−３、デコーダ１７−５及びＤ／Ａ変換機１７−７を含む。
【００４３】
ライン検出部１７−１は、スイッチ部１５から受信されたビデオ信号中からＶＢＩ領域の特定ラインを検出するためのものである。前述したように、ビデオ信号は一画面が５２５本のラインからなり、この５２５本のラインの中から約２０本がＶＢＩ領域に割り当てられる。本実施の形態では、その２０本のライン中から、特定のラインにオーディオコンテンツを載せて送り、従って、ライン検出部１７−１は５２５本のラインの中から特定ラインを検出する。オーディオコンテンツは約４−４８Ｋｂｐｓで圧縮されているので、オーディオコンテンツの再生時、充分な再生時間を付与することにより、音が切れて聞こえることが防止される。前記圧縮率は現在システムでの最適圧縮率として例示したものであり、状況や技術発展の程度によって変化できる値である。
【００４４】
データ抽出部１７−３は、特定ラインが検出されると、特定ラインをデータスライシングし、サンプリング区間の周波数を検出してデータを抽出することにより、特定ラインに含まれたオーディオコンテンツを抽出する。
【００４５】
デコーダ１７−５は、データ抽出部１７−３から抽出された圧縮状態のオーディオコンテンツをデコーディングして圧縮解除する。上述のように、オーディオコンテンツはデコーディングされるとデータ量が増加するので充分な時間の間、再生できる。
【００４６】
Ｄ／Ａ変換機１７−７は、デコーダ１７−５でデコーディングされたオーディオコンテンツをアナログオーディオ信号に変換する。
【００４７】
以下、図２乃至図４を参照しながら本発明に係るＶＢＩ領域を用いたマルチメディアシステムの動作を説明する。
【００４８】
先ず、ＴＶ放送信号を受信する場合について説明する。
【００４９】
各放送局から送出した放送信号がアンテナ２０を介して受信されると、使用者が受信を希望するチャンネルを選択すれば、チューナ部１１で該チャンネルの放送信号を選択受信してスイッチ部１５に伝送する。
【００５０】
スイッチ部１５は、受信された放送信号に含まれたオーディオ及びビデオ信号をＴＶ５０に出力すれば、ＴＶ５０に該プログラムが放送される。
【００５１】
一方、スイッチ部１５は受信された放送信号中からビデオ信号をオーディオコンテンツ抽出復元部１７に伝送する。オーディオコンテンツ抽出復元部１７は受信されたビデオ信号からＶＢＩ領域の第１３ラインに載せたオーディオコンテンツを分離してアナログオーディオ信号に変換してオーディオコンテンツ送出部１９に伝送する。
【００５２】
オーディオコンテンツ送出部１９が受信したオーディオ信号をＦＭ信号に変調してオーディオコンテンツ再生機器６０に送信すれば、オーディオコンテンツ再生機器６０がこれを受信して再生する。
【００５３】
次に、外部機器から信号を受信する場合について説明する。
【００５４】
Ａ／Ｖ信号入力部１３を通じてＶＴＲ４０−１、ＤＶＤ４０−２などの外部機器からＡ／Ｖ信号が入力されると、スイッチ部１５は受信されたオーディオ及びビデオ信号をＴＶ５０に出力する一方、受信されたＡ／Ｖ信号の中からビデオ信号をオーディオコンテンツ抽出復元部１７に伝送する。
【００５５】
オーディオコンテンツ抽出復元部１７は受信されたビデオ信号からＶＢＩ領域の第１３ラインに載せられたオーディオコンテンツを分離し、アナログオーディオ信号に変換して、オーディオコンテンツ送出部１９に伝送する。
【００５６】
オーディオコンテンツ送出部１９が受信したオーディオ信号をＦＭ信号に変調してオーディオコンテンツ再生機器６０に送信すれば、オーディオコンテンツ再生機器６０がこれを受信して再生する。
【００５７】
次に、本発明の別の実施形態に係るマルチメディアモジュールついて説明する。
【００５８】
図５は、本発明の別の実施形態に係るマルチメディアモジュールの内部構成を示すブロック図である。
【００５９】
本発明の別の実施形態に係るマルチメディアモジュール１１０は、図５を参照すると、Ａ／Ｖ信号入力部１１３と、オーディオコンテンツ分離部１１５と、ＡＶ出力部１１６と、オーディオコンテンツ送出部１１９とを含んで形成される。また、マルチメディアモジュール１１０は、チューナ部１１１を含んで形成されても良い。本発明の別の実施形態に係るマルチメディアモジュール１１０は、ＶＢＩ領域に挿入された信号の他にも、ＤＶＤタイトルとＣＤタイトルとＶＴＲ映像とＧＡＭＥ映像の音声信号の多数のチャンネルの中から、オーディオコンテンツが付加されるオーディオコンテンツ付加チャンネルにオーディオコンテンツを分離してオーディオコンテンツ再生機器１６０に伝送できる。このようなＤＶＤタイトルとＣＤタイトル、及びＶＴＲ等の映像は、全体の音声信号が５．１チャネルまたは２チャネルで構成されてＴＶ及びスピーカに伝送される。従って、このようなＤＶＤタイトル、またはＣＤタイトルは、タイトルを製作する際、音声信号の特定チャンネルの１つをオーディオコンテンツ付加チャンネルに選定して特定のオーディオコンテンツを付加して製作される。例えば、映画タイトルを製作する際、音声信号の特定部分には元の映画の音声でない任意的に付加された音声信号をオーディオコンテンツに付加される。従って、マルチメディアモジュール１１０は、Ａ／Ｖ信号の音声信号中に含まれているオーディオ信号を分離して、オーディオコンテンツ送出部１１９に伝送される。
【００６０】
本発明の別の実施形態のマルチメディアモジュール１１０は、図３の実施の形態に係るマルチメディアモジュール１０と同一の構成要素が一部含まれるが、ここでは追加される構成要素と機能が追加される構成要素の機能及び相互作用を中心として説明する。
【００６１】
チューナ部１１１は、放送信号中から特定チャンネルを選択し、ＤＶＤプレーヤ、またはＣＤプレーヤのような外部機器から信号が伝送される際には作動しなくなる。従って、マルチメディアモジュール１１０は外部機器専用で使われる際にはチューナ部１１１が含まれないことがあることは勿論である。
【００６２】
Ａ／Ｖ信号入力部１１３は、外部機器１４から出力されるＡ／Ｖ信号が入力され、上記オーディオコンテンツ分離部１１５に上記Ａ／Ｖ信号を伝送する。
【００６３】
オーディオコンテンツ分離部１１５は、Ａ／Ｖ信号入力部１１３から伝送される上記Ａ／Ｖ信号をＡＶ出力部１１６に伝送し、上記Ａ／Ｖ信号の音声信号からオーディオコンテンツを分離して、上記オーディオコンテンツ送出部１１９に伝送する。オーディオコンテンツ分離部１１５は、図３の実施形態のオーディオコンテンツ抽出復元部でのデータ抽出部を含んで形成される。また、オーディオコンテンツ分離部１１５は、音声信号にオーディオコンテンツが圧縮されている場合に、分離されたオーディオコンテンツを復元するデコーダを更に含んで形成される。また、オーディオコンテンツ分離部１１５は、入力されるＡ／Ｖ信号がデジタル信号である場合には、Ｄ／Ａ変換機を含んで形成されることが可能である。より詳細には、オーディオコンテンツ分離部１１５は、上記Ａ／Ｖ信号入力部１１３から伝送される音声信号の多数のチャンネルの中から、オーディオコンテンツが付加されるオーディオコンテンツ付加チャンネルのオーディオコンテンツを分離して、オーディオコンテンツ送出部１１９に伝送する。また、オーディオコンテンツ分離部１１５は、オーディオコンテンツが圧縮されて伝送された場合には、これを復元して伝送する。また、オーディオコンテンツ分離部１１５は、オーディオコンテンツが付加されている特定チャンネルの音声信号がＴＶ、または外部スピーカ等、再生装置に伝送しないように制御され、オーディオコンテンツがオーディオコンテンツ再生機器１６０に再生される際は、該特定チャンネルの音声信号を再生する再生装置は音声信号を再生しなくなる。例えば、ＤＶＤプレーヤは５．１チャンネルの音声信号を伝送するので、この中で特定チャンネルにオーディオ信号を付加することになる。従って、上記音声信号は各チャンネルの音声信号が少なくとも５つのスピーカで各々再生され、オーディオコンテンツが再生される際は、オーディオコンテンツ付加チャンネルの音声信号を再生するスピーカは音声信号を再生しなくなる。また、ＣＤプレーヤは、２チャンネルの音声信号を伝送するので、一つのチャンネルにオーディオ信号を付加することになる。
【００６４】
ＡＶ出力部１１６は、スイッチ部１１５から伝送されるＡ／Ｖ信号をＴＶまたはスピーカに伝送する。
【００６５】
オーディオコンテンツ送出部１１９は、スイッチ部１１５から伝送されるオーディオ信号をオーディオコンテンツ再生機器１６０に伝送する。
【００６６】
図６は、本発明の別の実施形態に係るマルチメディアモジュールの連結関係を示すブロック図である。
【００６７】
本発明の別の実施形態に係るマルチメディアモジュールは、外部機器とＴＶのような再生機器間に設置されて使われることができ、再生機器の音声信号出力段に結合されて使われることができる。即ち、ＴＶで音声信号がスピーカ（外部スピーカが連結される場合には外部スピーカを含む）に出力される端子に上記マルチメディアモジュールを連結し、マルチメディアモジュールとスピーカとを連結して使用できる。このような場合、上記マルチメディアモジュールはＴＶから出力される音声信号をスピーカに伝送しながら音声信号にオーディオコンテンツが付加された場合にはこれを分離してオーディオコンテンツ再生機器に伝送する。勿論、その時は、スピーカにオーディオコンテンツが付加された音声信号を伝送しなくなる。
【００６８】
以上、本実施の形態ではマルチメディアシステムでオーディオコンテンツのみを再生することを例示して説明したが、本発明はこれに限るのではなく、放送信号や媒体の記録領域にオーディオコンテンツの他のデータ、例えば、動作制御信号などを含むことも可能である。
【産業上の利用可能性】
【００６９】
以上説明したように、本発明によれば、ＴＶなどの再生装置と独立的に動作するように具現されて、ＴＶが消えている場合にもオーディオ放送や広告放送が可能な、マルチメディアモジュールを提供することができる。
【００７０】
また、独立的具現を通じて未契約チャンネルを視聴している間にも視聴者の選択によって他の契約チャンネルから提供されているオーディオ放送や広告放送を聴取できるようにするマルチメディアモジュールを提供できる。
【００７１】
また、ＴＶなどの再生装置がＶＢＩ領域に含まれたデータを分離するための別途の構成を要求しないことにより、従来の再生装置と互換可能なマルチメディアモジュールを提供することができる。
【００７２】
また、放送内容が学習プログラムの場合、学習者が講義内容と関連するコメントを聞くことにより、講義の理解を助けたり、他の学生の声を聞くことにより多くの人が共に授業を聞くことのような効果を与えて、より講義に集中できるようにする効果がある。
【００７３】
また、ＤＶＤタイトル、ＣＤタイトル、ＶＴＲ映像、またはパーソナルコンピュータから伝送される映像情報に付加されたオーディオ信号を外部のオーディオコンテンツ再生機器で再生できる効果がある。
【図面の簡単な説明】
【００７４】
【図１】従来の対話形人形システムの構成を示すブロック図である。
【図２】本発明に係るＶＢＩ領域を用いたマルチメディアシステムの構成を示すブロック図である。
【図３】図２のマルチメディアモジュールの内部構成を示すブロック図である。
【図４】図３のオーディオコンテンツ抽出復元部の内部構成を示すブロック図である。
【図５】本発明の別の実施形態に係るマルチメディアモジュールの内部構成を示すブロック図である。
【図６】本発明の別の実施形態に係るマルチメディアモジュールの連結関係を示すブロック図である。
【符号の説明】
【００７５】
１０、１１０    マルチメディアモジュール
１１、１１１    チューナ部
１３、１１３    Ａ／Ｖ信号入力部
１５、１１５    スイッチ部
１６、１１６    ＡＶ出力部
１７    オーディオコンテンツ抽出復元部、
１９、１１９    オーディオコンテンツ送出部
２０、３０    アンテナ
４０    外部機器
５０、１５０    ＴＶ
６０、１６０    オーディオコンテンツ再生機器
【図１】
2006217397.tif 000003
【図２】
2006217397.tif 000004
【図３】
2006217397.tif 000005
【図４】
2006217397.tif 000006
【図５】
2006217397.tif 000007
【図６】
2006217397.tif 000008